(57)【要約】【課題】  従来の半端瓦は、現場において、カット・ドリルで孔を穿け、台土施工と、半端瓦を葺設し、ワイヤで落下防止を図る。棟・谷方向において隣接する瓦と半端瓦、及び／又は、同重ね葺きにおける瓦と半端瓦との連結が十分でなく、震災時の半端瓦のズレ、落下、又はこれに起因し瓦・半端瓦の崩落という最悪の事故と、人身事故の誘因等の痛ましい、事故が発生する。殊に、乾式の台土を使用しない場合は、多くの問題が発生する。【解決手段】  本発明は、棟隅、谷隅に葺設する半端瓦用の瓦で、瓦の裏面に、突出形状の複数本の脚を、また、裏面の尻側に複数個の引掛けを形成し、複数の引掛けが形成された裏面箇所に、尻部端面に沿った平坦部を形成し、瓦に、棟隅の棟線、又は谷隅の谷線に沿った複数本のカット線を付設し、また瓦の尻側と、棟側及び差込み側に複数の孔を開設した構造である。乾式で、崩落しない半端瓦・瓦として有効である。【選択図】      図２
2014091988.tif 000002
【特許請求の範囲】
【請求項１】
棟隅、又は谷隅、或いは大棟に葺設される半端瓦用の瓦で、
瓦の裏面に、複数本の脚を形成し、裏面の尻側に複数個の引掛けを形成するとともに、この複数の引掛けが形成された裏面箇所に、尻部端面に沿った平坦部を形成し、
前記瓦に、前記棟隅の棟線、又は谷隅の谷線に沿った複数本のカット線を付設し、またこの瓦の尻側と、棟側及び差込み側に複数の孔を開設し、
た構造の半端瓦用の瓦。
【請求項２】
請求項１に記載の半端瓦用の瓦であって、
前記脚の高さを、頭側が高く、順次、尻側に向かって、低くする構成とした半端瓦用の瓦。
【請求項３】
請求項１に記載の半端瓦用の瓦であって、
前記脚の高さを、頭側が高く、順次、尻側に向かって、低くするとともに、この脚のそれぞれは、前記瓦の幅方向においては、この幅全体に均等な高き（均等高さ）に形成する構成とした半端瓦用の瓦。
【請求項４】
請求項１に記載の半端瓦用の瓦であって、
前記脚の屋根地側に、切欠部を形成する構成とした半端瓦用の瓦。
【請求項５】
請求項１に記載の半端瓦用の瓦であって、
前記カット線で、前記瓦をカットして形成された棟隅、又は谷隅、或いは大棟用の半端瓦には、前記頭側の孔と、棟側、及び／又は、差込み側の孔が残る構成とした半端瓦用の瓦。
【請求項６】
請求項１に記載の半端瓦用の瓦であって、
前記脚には、棧木高さ寸法分の切欠箇所を設ける構成とした半端瓦用の瓦。
【発明の詳細な説明】
【技術分野】
【０００１】
本発明は、棟隅（隅棟）、又は谷隅（隅谷）に葺設される半端瓦用の瓦、即ち、棟隅、又は谷隅、或いは大棟に葺設するために、屋根瓦（棟瓦、大棟瓦であり瓦とする）を、所定寸法にカットした半端瓦（尻側から頭側の対角線上にセットした、所謂、勝手瓦）用の瓦に関する。
【背景技術】
【０００２】
従来、棟隅、又は谷隅、或いは大棟（棟隅、又は谷隅とする）に葺設される半端瓦は、施工現場において、カットし、緊結（緊締）、釘・掛止用の孔をドリルで開設し、この棟隅、又は谷隅の棟線、又は谷隅の谷線に、近傍に、台土（葺地、漆喰等の台土、なじみ土）を施工し、半端瓦を葺設するとともに、必要により、釘打ち、又はワイヤ（番線）により、緊結し、落下防止を図る施工方法であった。
【０００３】
従って、棟・谷方向において隣接する瓦と半端瓦、及び／又は、同重ね葺きにおける瓦と半端瓦との連結が十分でないことから、例えば、震災時の半端瓦のズレ、落下、又はこれに起因する、瓦（大棟瓦、棟隅瓦、谷隅瓦、屋根瓦等の瓦）、及び／又は、半端瓦の崩落という最悪の事故と、更には、この崩壊による事故、例えば、人身事故の誘因等の痛ましい、事故が発生する虞がある。殊に、乾式工法という、台土を使用しない場合には、前記の問題が発生する。
【０００４】
この問題を解決する手段として、本発明の構造である。［イ］  この瓦の裏面に、突出形状の複数本の脚と、及び、裏面の尻側に複数個の引掛け、並びに複数の引掛けが形成された裏面箇所に、尻部端面に沿った平坦部を形成すること、［ロ］  瓦に、棟隅・大棟の棟線、又は谷隅の谷線に沿った複数本のカット線、及び、瓦の尻側と、棟側及び差込み側に複数の孔を設けること、でなる半端瓦用の瓦を提供する。
【０００５】
そして、前記［イ］と［ロ］に関連する発明を示すと、「脚」に関するものとして、特開２００８−２１４９３９号公報における（文献（１））がある。この発明は、のし瓦の裏面で、かつ裏面の棟方向に、複数のリブ片を突設した構造があり、このリブ片は、垂木にのし瓦を載せ、空間を形成することで、棟換気棟を構築することにある。この文献（１）は、空間形成用のリブ片であり、その他の目的は存在しない。また、「カット線」と「孔」に関する発明として、特開平９−２６８７１１号公報における（文献（２））と、特開平９−１５８４０４号公報における（文献（３））、又は特開平９−１７０２９８号公報における（文献（４））、がある。これらの発明は、大棟、又は棟隅に葺設される半端瓦に関し、かつこの半端瓦の落下と崩壊防止等を意図した発明であり、カット線と、このカット線の上か、カット線の近傍に番線用の孔を開設した構造である。従って、半端瓦の製造の容易性と、落下防止等には有効であるが、その他の目的は存在しない。
【０００６】
【特許文献１】特開２００８−２１４９３９号公報
【特許文献２】特開平９−２６８７１１号公報
【特許文献３】特開平９−１５８４０４号公報
【特許文献４】特開平９−１７０２９８号公報
【発明の概要】
【発明が解決しようとする課題】
【０００７】
上記に鑑み、本発明は、前記（文献（１））〜（文献（４））において達成できない、その他の目的を達成する。具体的には、前述した、「イ」と「ロ」の達成である。
【課題を解決するための手段】
【０００８】
本発明の次の「ハ」〜「ホ」を達成することを意図し、下記の請求項１〜６を提供する。
「ハ」  棟・谷方向において隣接する瓦と半端瓦、及び／又は、同重ね葺きにおいて瓦と半端瓦との連結を十分に図ることで、例えば、震災時の半端瓦のズレ、落下、又はこれに起因する、瓦（大棟瓦、棟隅瓦、谷隅瓦、屋根瓦等の瓦）、及び／又は、半端瓦の崩落という最悪の事故回避すること、
「ニ」  瓦、及び／又は、半端瓦の崩落という最悪の事故と、更には、この崩壊による事故、例えば、人身・建物崩壊事故等の回避を図ること、
「ホ」  地震、震災等の自然災害において、乾式工法における、前記「ハ」と「ニ」の問題回避、及び／又は、業界の施工規則の遵守を図ることにある。
【０００９】
請求項１は、棟隅、又は谷隅、或いは大棟に葺設される半端瓦用の瓦であって、
この瓦の裏面に、突出形状の複数本の脚を形成し、また、この裏面の尻側に複数個の引掛けを形成するとともに、この複数の引掛けが形成された裏面箇所に、尻部端面に沿った平坦部を形成し、
前記瓦に、前記棟隅の棟線、又は谷隅の谷線に沿った複数本のカット線を付設し、またこの瓦の尻側と、棟側及び差込み側に複数の孔を開設し、
た構造の半端瓦用の瓦である。
【００１０】
請求項２は、請求項１に記載の半端瓦用の瓦であって、
前記脚の高さを、頭側が高く、順次、尻側に向かって、低くする構成とした半端瓦用の瓦である。
【００１１】
請求項３は、請求項１に記載の半端瓦用の瓦であって、
前記脚の高さを、頭側が高く、順次、尻側に向かって、低くするとともに、この脚のそれぞれは、前記瓦の幅方向においては、この幅全体に均等な高き（均等高さ）に形成する構成とした半端瓦用の瓦である。
【００１２】
請求項４は、請求項１に記載の半端瓦用の瓦であって、
前記脚の屋根地側に、切欠部を形成する構成とした半端瓦用の瓦である。
【００１３】
請求項５は、請求項１に記載の半端瓦用の瓦であって、
前記カット線で、前記瓦をカットして形成された棟隅、又は谷隅、或いは大棟用の半端瓦には、前記頭側の孔と、棟側、及び／又は、差込み側の孔が残る構成とした半端瓦用の瓦である。
【００１４】
請求項６は、請求項１に記載の半端瓦用の瓦であって、
前記脚には、棧木高さ寸法分の切欠箇所を設ける構成とした半端瓦用の瓦である。
【発明の効果】
【００１５】
請求項１の発明は、棟隅、又は谷隅、或いは大棟に葺設される半端瓦用の瓦であって、
瓦の裏面に、突出形状の複数本の脚を形成し、また、裏面の尻側に複数個の引掛けを形成するとともに、複数の引掛けが形成された裏面箇所に、尻部端面に沿った平坦部を形成し、
瓦に、棟隅の棟線、又は谷隅の谷線に沿った複数本のカット線を付設し、また瓦の尻側と、棟側及び差込み側に複数の孔を開設し、
た構造の半端瓦用の瓦である。
【００１６】
従って、請求項１は、下記の「ハ」〜「ホ」の特徴がある。
「ハ」  棟・谷方向において隣接する瓦と半端瓦、及び／又は、同重ね葺きにおいて瓦と半端瓦との連結を十分に図ることで、例えば、震災時の半端瓦のズレ、落下、又はこれに起因する、瓦、及び／又は、半端瓦の崩落という最悪の事故回避ができる。
「ニ」  瓦、及び／又は、半端瓦の崩落という最悪の事故と、更には、この崩壊による事故、例えば、人身・建物崩壊事故等の回避が図れる。
「ホ」  地震、震災等の自然災害において、乾式工法における、前記「ハ」と「ニ」の問題回避、及び／又は、業界の施工規則の遵守が図れる。
【００１７】
請求項２の発明は、請求項１に記載の半端瓦用の瓦であって、
脚の高さを、頭側が高く、順次、尻側に向かって、低くする構成とした半端瓦用の瓦である。
【００１８】
従って、請求項２は、前記「ハ」〜「ホ」の他に、下記の「ヘ」の特徴がある。
「ヘ」  この「ハ」〜「ホ」の特徴を発揮できる脚の基本構造を提供できる。
【００１９】
請求項３の発明は、請求項１に記載の半端瓦用の瓦であって、
脚の高さを、頭側が高く、順次、尻側に向かって、低くするとともに、脚のそれぞれは、瓦の幅方向においては、幅全体に均等な高き（均等高さ）に形成する構成とした半端瓦用の瓦。
【００２０】
従って、請求項３は、前記「ハ」〜「ホ」の他に、下記の「ト」の特徴がある。
「ト」  この「ハ」〜「ホ」の特徴を発揮できる脚の高さと、高さの幅方向の均等性の構造を提供できる。
【００２１】
請求項４の発明は、請求項１に記載の半端瓦用の瓦であって、
前記脚の屋根地側に、切欠部を形成する構成とした半端瓦用の瓦である。
【００２２】
従って、請求項４は、前記「ハ」〜「ホ」の他に、下記の「チ」の特徴がある。
「チ」  この「ハ」〜「ホ」の特徴を発揮できる脚に空気の流れ（屋根地の乾燥）を確保できる構造を提供できる。
【００２３】
請求項５は、請求項１に記載の半端瓦用の瓦であって、
カット線で、瓦をカットして形成された棟隅、又は谷隅、或いは大棟用用の半端瓦には、頭側の孔と、棟側、及び／又は、差込み側の孔が残る構成とした半端瓦用の瓦である。
【００２４】
従って、請求項５は、前記「ハ」〜「ホ」の他に、下記の「リ」の特徴がある。
「リ」  この「ハ」〜「ホ」の特徴を発揮できる孔の構造を提供できる。
【００２５】
請求項６は、請求項１に記載の半端瓦用の瓦であって、
脚には、棧木高さ寸法分の切欠箇所を設ける構成とした半端瓦用の瓦である。
【００２６】
従って、請求項６は、前記「ハ」〜「ホ」の他に、下記の「ヌ」の特徴がある。
「ヌ」  この「ハ」〜「ホ」の特徴を発揮でき、かつ他の施工方法に対応できる脚の構造を提供できる。
【図面の簡単な説明】
【００２７】
【図１】寄棟屋根の一例を示した縮尺俯瞰図
【図２】屋根の棟隅を示した斜視図
【図３】屋根の谷隅を示した斜視図
【図４】屋根の大棟を示した斜視図
【図５】屋根の棟隅の他の一例を示した斜視図
【図６−１】一方の棟隅用の瓦にカット線の一例を示した平面拡大斜視図
【図６−２】棟隅用の半端瓦の野地面に葺設した状態を想定した側面斜視図
【図６−３】他方の棟隅用の瓦にカット線の一例を示した平面拡大斜視図
【図７−１】一方の谷隅用の瓦にカット線の一例を示した平面拡大斜視図
【図７−２】谷隅用の半端瓦の野地面に葺設した状態を想定した側面斜視図
【図７−３】他方の谷隅用の瓦にカット線の一例を示した平面拡大斜視図
【図８】大棟隅用の瓦にカット線の一例を示した平面拡大斜視図
【図９−１】棟隅用の他の形状の瓦にカット線の一例を示した平面拡大斜視図
【図９−２】棟隅用の他の形状の半端瓦の野地面に葺設した状態を想定した側面斜視図
【図１０−１】棟隅、谷隅、又は大棟等に対応できる別の形状の拡大表面斜視図
【図１０−２】棟隅、谷隅、又は大棟等に対応できる別の形状の拡大裏面斜視図
【発明を実施するための形態】
【００２８】
図６−１に示した一方（図１において、イ方向側）の棟隅Ａ用瓦１（和形瓦を示すが、平板瓦等の他の瓦も同様である。以下、同じ）であって、この瓦１（瓦本体）に、複数のカット線２、２…………２ｎ（２とする。以下同じ）を入れる。このカット線２で切断することで、図２に示した棟隅Ａ用の半端瓦３、３…………３ｎが形成される。この瓦１の裏面１００には、図６−２に示した高さ５００を異にする脚５、５…………５ｎが突設される。この一例では、脚５の高さ５００は、頭側１ａが高く、順次、尻側１ｂに向かって、低くする構成とするとともに、脚５のそれぞれ５ａ、５ｂ、〜５ｎは、瓦１の幅方向１０１においては、幅全体に均等な高き（均等高さＨ）に形成する。尚、他方（図１において、ロ方向側）の棟隅Ａ用の瓦１０００であって、この瓦１０００瓦本体）に、複数のカット線２００、２００…………２００ｎ（２００とする。以下同じ）を入れる。図２とは、対称的な半端瓦３００、３００…………３００ｎが形成される。その他は前述の瓦１に準ずる。
【００２９】
また、同様に、図７−１に示した一方（図１において、イ１方向側）の谷隅Ｂ用瓦１（和形瓦を示すが、平板瓦等の他の瓦も同様である。以下、同じ）であって、この瓦１（瓦本体）に、複数のカット線２−１、２−１…………２ｎ−１（２−１とする。以下同じ）を入れる。このカット線２−１で切断することで、図３に示した谷隅Ｂ用の半端瓦３−１、３−１…………３ｎ−１が形成される。この瓦１の裏面１００には、図７−２に示した高さ５００を異にする脚５、５…………５ｎが突設される。この一例では、脚５の高さ５００は、頭側１ａが高く、順次、尻側１ｂに向かって、低くする構成とするとともに、脚５のそれぞれ５ａ、５ｂ、〜５ｎは、瓦１の幅方向１０１においては、幅全体に均等な高き（均等高さＨ）に形成する。尚、図７−３に示した他方（図１において、ロ１方向側）の谷隅Ｂ用の瓦１０００であって、この瓦１０００（瓦本体）に、複数のカット線２００−１、２００−１…………２００ｎ−１（２００とする。以下同じ）を入れる。図３とは、対称的な半端瓦３００−１、３００−１…………３００ｎ−１が形成される。その他は前述の瓦１に準ずる。
【００３０】
また、同様に、図８に示した一方（図２において、イ２方向側）の大棟Ｃ用瓦１（和形瓦を示すが、平板瓦等の他の瓦も同様である。以下、同じ）であって、この瓦１（瓦本体）に、複数のカット線２−２、２−２…………２ｎ−２（２−２とする。以下同じ）を入れる。このカット線２−２で切断することで、図４に示した大棟Ｃ用の半端瓦３−２、３−２…………３ｎ−２が形成される。この瓦１の裏面１００には、高さ５００を異にする脚５、５…………５ｎが突設される。この一例では、脚５の高さ５００は、頭側１ａが高く、順次、尻側１ｂに向かって、低くする構成とするとともに、脚５のそれぞれ５ａ、５ｂ、〜５ｎは、瓦１の幅方向１０１においては、幅全体に均等な高き（均等高さＨ）に形成する。尚、図８に示した（併用）他方（図１において、ロ２方向側）の大棟Ｃ用の瓦１０００であって、この瓦１０００（瓦本体）に、複数のカット線２００−２、２００−２…………２００ｎ−２（２００とする。以下同じ）を入れる。図３とは、対称的な半端瓦３００−２、３００−２…………３００ｎ−２が形成される。その他は前述の瓦１に準ずる。
【００３１】
図９−１は、脚５の他の一例であり、脚５の底部５０１に複数の切欠部５ａを形成した構造であり、野地面Ｄとの間に、空気通路Ｅを形成することで、野地面Ｄの乾燥、屋根の換気等として利用する。また、後述する孔に嵌合機構と、雨水侵入防止等を利用して、堰と、堰嵌合凹を形成する。そして、図９−２において、脚５ａ、５ｂ、５ｃ、５ｄの一例を示す。例えば、棧木Ｄ１（１５ｍｍ）と重ね代を考慮し、頭側１ｂから尻側１ａに向かって、脚５ａが２９ｍｍ、脚５ｂが２６ｍｍ、脚５ｃが２３ｍｍ、脚５ｄが２０ｍｍとする。
【００３２】
そして、この図９−１の瓦１を代表して説明すると、この瓦１の裏面１００の尻側１ａには平坦部１０２を形成するとともに、この平坦部１０２には、釘６とか、番線（図示しない）を差入れるための第一の孔７（第一の言葉は、一例である。以下同じ）を複数個開設する。この第一の孔７は必ず、平坦部１０２に開設し、棧木Ｄ１の上面に接触することで、半端瓦３、３−１等の葺設の安定性・耐震性・崩壊防止と、設置の簡便性を確保する。また、瓦１の差込み側１ｃと棧山側１ｄには、釘６を差入れるための第二・第三の孔７−２、７−２を複数個開設する。この第二の孔７−１には、第三の孔７−２が整合され、この整合で、隣接、かつ葺設された二枚の瓦１の間に整合孔７００が形成され、この整合孔７００に釘６が貫設される。前述した如く、この整合孔７００には、凹凸嵌合構造を採用し、雨水の侵入防止、並びに葺設の安定性・耐震性・崩壊防止と、設置の簡便性を図る。
【００３３】
図１０−１と、図１０−２は、棟隅Ａ、谷隅Ｂ、又は大棟Ｃ等に対応できる別の形状の拡大表面斜視図と、拡大裏面斜視図であり、瓦１の表面１０３であって、かつその差込み側１ｃの第二の孔７−１に凸８（堰）を形成し、裏面１００であって、かつその棧山側１ｄの第三の孔７−２に凹１０（差込み部）を形成した構造とする。葺設時に、この凹凸１０、８を嵌合することで、前述の図９−１に示した例と同様に、凹凸嵌合構造を採用し、雨水の侵入防止、並びに葺設の安定性等を図る。
【００３４】
図中１１は裏面１００の尻側１ａに設けた引掛けを示しており、この例では、第一の孔７の数に対応して、４個とする。従って、第一の孔７と引掛け１１が常に対となる構造である。この引掛け１１は棧木Ｄ１に引掛け掛止する。
【００３５】
次に、半端瓦３〜３−２（半端瓦３００〜３００−２も同じであり割愛する）の葺設（施工）の一例を、順次、説明する。
【００３６】
図２に示した隅棟Ａにおいては、図１のイ方向の図示の如く、通常の瓦Ｘを野地面Ｄ（屋根地）に葺設すると、この瓦Ｘと、棟芯Ａ−１との間の隙間を埋めるために半端瓦３を葺設する。この半端瓦３は、図示の如く、大中小であり、図６−１に示したカット線２を利用して、所定寸法の半端瓦３を、必要とする枚数作成する。この半端瓦３は、通常は、瓦Ｘの出荷時に行う。例えば、瓦製造業者である。そして、この図６−１の例では、所定寸法の半端瓦３が、順次、被せ葺き（重ね葺き）されることから、この半端瓦３の大中小等により、第三の孔７−２か、又は、第一の孔７と第三の孔７−２の組合せ等が一般的である。尚、図示しないが、図１のロ方向の図示の如く、この図６−３の例の反対隅棟Ａ側では、半端瓦３００には、前述と同様に、第一の孔７か、又は、第一の孔７と第三の孔７−２の組合せ等が一般的である。この第一の孔７〜第三の孔７−２に釘６を打込むことで、半端瓦３を野地面Ｄに緊結する。また、この緊結時、重ね葺きした下にくる瓦Ｘと半端瓦３を緊結する。そして、この半端瓦３は、図示の如く、例えば、大中小の寸法となり、この所定寸法の半端瓦３が、順次、棟隅Ａに葺設されることは、従来と同様である（他の各実施例も同じ）。また、野地面Ｄと半端瓦３の裏面（瓦１の裏面１００）との隙間Ｈに、脚５が設けられることで、従来の台土（なじみ土）をなくし得る。これにより、屋根Ｙの軽量化に寄与できること、資材の省略と施工の簡略化、並びに工費軽減化と、半端瓦３の安定性・耐震性・崩壊防止に役立つこと等の特徴がある（以下同じ）。尚、この第三の孔７−２は、雨水の侵入防止を意図して、使用しない、第三の孔７−２があることを考慮し、盲孔の構造とする（他の例も同じ）。
【００３７】
図３に示した谷隅Ｂにおいては、図１のイ１方向の図示の如く、通常の瓦Ｘを野地面Ｄ（屋根地）に葺設すると、この瓦Ｘと、谷芯Ｂ−１との間の隙間を埋めるために半端瓦３−１を葺設する。この半端瓦３−１は、図示の如く、大中小であり、図７−１に示したカット線２−１を利用して、所定寸法の半端瓦３−１を、必要とする枚数作成する。この半端瓦３−１は、通常は、瓦Ｘの出荷時に行う。例えば、瓦製造業者である。そして、この図７−１の例では、所定寸法の半端瓦３−１が、順次、差込み葺きされることから、この半端瓦３の大中小等により、第一の孔７と第二の孔７−１の組合せ等が一般的である。尚、図示しないが、図１のロ１方向の図示の如く、この図７−３の例の反対谷棟Ｂ側では、半端瓦３００−１には、前述と同様に、第一の孔７か、又は、第一の孔７と第二の孔７−１の組合せ等が一般的である。この第一の孔７〜第二の孔７−１に釘６を打込むことで、半端瓦３−１を野地面Ｄに緊結する。また、この緊結時、重ね葺きした下にくる瓦Ｘと半端瓦３−１を緊結する。尚、この第二の孔７−１は、雨水の侵入防止を意図して、使用しない、第二の孔７−１があることを考慮し、盲孔の構造とする（他の例も同じ）。
【００３８】
また、図４に示した大棟Ｃにおいては、図１のイ２方向の図示の如く、通常の瓦Ｘを野地面Ｄ（屋根地）に葺設すると、この瓦Ｘと、大棟Ｃののし瓦（図示せず）との間の隙間を埋めるために半端瓦３−２を葺設する。この半端瓦３−２は、図示の如く、大か、中か、又は小の何れかが一種類（屋根Ｙ）であり、図８に示したカット線２−２を利用して、所定寸法の半端瓦３−２を、必要とする枚数作成する。この半端瓦３−２は、通常は、瓦Ｘの出荷時に行う。例えば、瓦製造業者である。そして、この図８の例では、規定された、一定寸法の半端瓦３−１が、順次、葺設されることから、この半端瓦３の大中小等により、第二の孔７−１と第三の孔７−２の組合せ等が一般的である。尚、図示しないが、図１のロ２方向の図示の如く、図示しないが、半端瓦３００−２には、前述と同様に、第一の孔７か、又は、第二の孔７−１と第三の孔７−２の組合せ等が一般的である。そして、この第二の孔７−１〜第三の孔７−２に釘６を打込むことで、半端瓦３−２を野地面Ｄに緊結する。また、この緊結時、重ね葺きした下にくる瓦Ｘと半端瓦３−２を緊結する。この大棟Ｃのその他の構造は、従来と同様に考えられる。
【００３９】
尚、図５に示した例では、棟芯Ａ１に棧木Ｄ１を設ける他の施工方法を示したものであり、第二の孔７−１か、又は第三の孔７−２と釘６を利用し、この棧木Ｄ１に、半端瓦３等を、前記と同様に緊結できる。この緊結の効果は、前述の通りである。尚、他の施工方法では、図示しないが、脚５には、棧木Ｄ１の高さ寸法分の切欠箇所を設けることも必要となる。
【００４０】
尚、第一の孔７は、他の瓦１が重ね葺きされることで、貫通孔である。
【００４１】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００４２】
１            瓦
１０００      瓦
１ａ          尻側
１ｂ          頭側
１ｃ          差込み側
１ｄ          棧山側
１００        裏面
１０１        幅方向
１０２        平坦部
１０３        表面
２〜２ｎ      カット線
２００〜２００ｎ      カット線
２−１〜２ｎ−１        カット線
２００−１〜２００ｎ−１      カット線
２−２〜２ｎ−２        カット線
２００−２〜２００ｎ−２      カット線
３〜３ｎ      半端瓦
３００〜３００ｎ      半端瓦
３−１〜３ｎ−１        半端瓦
３００−１〜３００ｎ−１      半端瓦
３−２〜３ｎ−２        半端瓦
３００−２〜３００ｎ−２      半端瓦
５〜５ｎ      脚
５ａ          切欠部
５００        高さ
５０１        底部
６            釘
７            第一の孔
７−１        第二の孔
７−２        第三の孔
８            凸
１０          凹
１１          引掛け
Ａ            棟隅
Ａ−１        棟芯
Ｂ            谷隅
Ｂ−１        谷芯
Ｃ            大棟
Ｃ１          棟芯
Ｄ            野地面
Ｄ１          棧木
Ｈ            隙間
Ｘ            瓦
Ｙ            屋根
【図１】
2014091988.tif 000003
【図２】
2014091988.tif 000004
【図３】
2014091988.tif 000005
【図４】
2014091988.tif 000006
【図５】
2014091988.tif 000007
【図６−１】
2014091988.tif 000008
【図６−２】
2014091988.tif 000009
【図６−３】
2014091988.tif 000010
【図７−１】
2014091988.tif 000011
【図７−２】
2014091988.tif 000012
【図７−３】
2014091988.tif 000013
【図８】
2014091988.tif 000014
【図９−１】
2014091988.tif 000015
【図９−２】
2014091988.tif 000016
【図１０−１】
2014091988.tif 000017
【図１０−２】
2014091988.tif 000018